(57)【要約】【課題】実釣時において釣人が必要な量の錘を正確に作製することができる釣用錘入りチューブの提供。【解決手段】この釣用錘入りチューブ１０は、可撓性を有するチューブ本体１１と、これに充填された粘土錘１２とを備える。チューブ本体１１の上端部には押出部１３が形成され、この押出部１３には押出口１５が設けられている。押出口１５の形状は、全体として略円形であるが、押出口１５を区画する壁面の一部が内側に突出している。押し出される粘土錘１２の形状は、略円柱状であるが、軸方向に沿って溝１７が形成される。チューブ本体１１には、粘土錘１２の長さを調整するための目盛１８が設けられている。【選択図】  図１
2005000084.tif 000002
【特許請求の範囲】
【請求項１】
押出口が設けられた押出部を有するチューブ本体と、
チューブ本体内に充填され、チューブ本体が押圧されることによって押出口から押し出される粘土錘とを備える釣用錘入りチューブ。
【請求項２】
上記押出口は、押し出された粘土錘の軸方向に沿って略Ｖ字状の溝が構成される形状に形成されている請求項１に記載の釣用錘入りチューブ。
【請求項３】
上記押出口を囲繞するキャップが上記押出部に着脱自在に設けられており、
当該キャップは、予め封止された上記押出口を上記形状に開封する開封部を備えている請求項２に記載の釣用錘入りチューブ。
【請求項４】
上記押出部は、予め上記押出口を封止するように設けられると共に剥離されることによって上記形状の押出口を形成する開封片を備えている請求項２に記載の釣用錘入りチューブ。
【請求項５】
上記チューブ本体に目盛が刻まれている請求項１ないし４のいずれかに記載の釣用錘入りチューブ。
【請求項６】
上記チューブ本体は、押し出された粘土錘の長さを測定する定規を備えている請求項１ないし４のいずれかに記載の釣用錘入りチューブ。
【発明の詳細な説明】
【０００１】
【発明の属する技術の分野】
この発明は、釣りに使用される錘に関し、具体的には、錘が封入された釣用錘入りチューブの構造に関するものである。
【０００２】
【従来の技術及び発明が解決しようとする課題】
魚釣りにおいては、仕掛けを水中で安定させること等を目的として釣用錘が使用される。この釣用錘は、一般に鉛等により構成されるが、近年では、釣用錘として粘土錘と称されるものが使用されている。この粘土錘とは、例えば、ある種の基材に粉末状のタングステン合金が練り込まれてペースト状に構成されたものである。釣用錘がペースト状に構成されていることにより、釣人は、錘の量を自在に調整することができ、釣り場において必要な大きさの釣用錘を用意することができるという利点がある。
【０００３】
しかし、従来の粘土錘では、錘の大きさが自在に調整され得るものではあるが、その調整手段は、釣人が目分量で調整するものであり、釣人は、釣用錘の重量を正確に調整することは困難であった。
そこで、本発明の目的は、釣人が必要な量の錘を正確に作製することができる釣用錘入りチューブを提供することである。
なお、鉛製の釣用錘、粘土錘は、既に一般に市販されているが、これらに関する文献は、本願出願時において本願出願人が知るものは存在しない。
【０００４】
【課題を解決するための手段】
（１）  上記目的が達成されるため、本願に係る釣用錘入りチューブは、押出口が設けられた押出部を有するチューブ本体と、チューブ本体内に充填され、チューブ本体が押圧されることによって押出口から押し出される粘土錘とを備えることを特徴とするものである。
この構成によれば、チューブ本体が押圧されることによって（具体的には、釣人がチューブ本体を指で摘んで押しつぶすことによって）、粘土錘が押出口から押し出される。このとき、粘土錘は、押出部を通過して押出口から棒状に押し出される。押し出された粘土錘は、断面形状が上記押出口の形状となるから、釣人は、押し出された粘土錘の長さを調整することによって、錘の量を調整することができる。
【０００５】
（２）  上記押出口は、押し出された粘土錘の軸方向に沿って略Ｖ字状の溝が構成される形状に形成されているのが好ましい。
この構成では、押し出された粘土錘に上記略Ｖ字状の溝が形成されるので、当該粘土錘は、容易に釣糸に取り付けられる。すなわち、釣糸が上記溝に挿入され、当該粘土錘が押しつぶされることによって当該釣糸が粘土錘に確実に固着される。
【０００６】
（３）  上記押出口を囲繞するキャップが上記押出部に着脱自在に設けられ、当該キャップは、予め封止された上記押出口を上記形状に開封する開封部を備える構成であってもよい。
この構成では、キャップによって上記押出口が囲繞されることにより、釣用錘が空気に晒されることなく保存される。また、粘土錘がチューブ本体に予め密封されていても、キャップの開封部によって上記押出口が形成される。換言すれば、粘土錘は、予めチューブ本体に密封保存されることができるうえ、キャップによって容易に上記押出口が形成されて、必要な量の釣用錘が作製される。また、押出口が形成された後であっても、キャップが押出部に装着されることによって、粘土錘が劣化することなく長期間にわたって保存される。
【０００７】
（４）  上記押出部は、予め上記押出口を封止するように設けられると共に剥離されることによって上記形状の押出口を形成する開封片を備えていてもよい。
この構成では、開封片が剥離されることによって同時に上記形状の押出口が形成される。したがって、粘土錘がチューブ本体に予め密封されていても、開封片が剥離されることによって上記押出口が形成され、これにより、釣人は、必要な量の釣用錘を作製することができる。
【０００８】
（５）  上記チューブ本体に目盛が刻まれているのが好ましい。
この構成では、目盛によって、押し出された粘土錘の長さがより正確に調整される。
また、上記チューブ本体は、押し出された粘土錘の長さを測定する定規を備えていてもよい。
この定規により、押し出された粘土錘の長さは、きわめて正確に測定され、必要な錘の量が精度よく調整される。
【０００９】
【発明の実施の形態】
以下、適宜図面が参照されつつ、好ましい実施形態に基づいて本発明が詳細に説明される。
【００１０】
＜第１の実施形態＞
図１は、本発明の第１の実施形態に係る釣用錘の斜視図である。
この釣用錘は、釣用錘入りチューブ１０として構成されている。後に詳述されるが、この釣用錘入りチューブ１０から所定量だけ押し出された釣用錘が、実釣において釣りの仕掛けに使用されるようになっている。
釣用錘入りチューブ１０は、チューブ本体１１と、チューブ本体１１内に充填された粘土錘１２とを備えている。この粘土錘１２はペースト状に形成されており、基材に粉末状のタングステン合金が練り込まれたものである。この基材としては特に限定されるものではないが、いわゆるプラスチック粘土等が採用される。また、容易に水に溶けない処理が施された紙粘土等も採用され得る。なお、粘土錘１２に含まれる金属は、タングステン合金に限定されるものではなく、比重の大きい金属であれば他の種々の金属が採用され得る。
【００１１】
チューブ本体１１は、略円筒状に形成されており、その上端部に押出部１３が形成されている。チューブ本体１１と押出部１３とは、一体的に成形される。押出部１３は、円筒状に形成されており、チューブ本体１１の上端部が縮径されるように当該チューブ本体１１に連続して形成されている。また、チューブ本体１１は、樹脂、ゴム又は金属により構成されており、きわめて薄肉の筒状に形成されている。したがって、チューブ本体１１は、可撓性に優れ、径方向に押圧されると、チューブ本体１１内に充填された粘土錘１２は、上記押出部１３から押し出される。
なお、チューブ本体１１の下端部１４は、平坦な形状に形成されており、これにより、例えば釣人が指でチューブ本体１１を押圧する際に押しつぶしやすくなっている。また、チューブ本体１１の形状は、本実施形態では略円筒状に形成されているが、内部に粘土錘１２を充填することができる容器状に形成されていれば、他の種々の形状が採用され得る。
【００１２】
上記押出部１３の上端面には開口部が形成されている。この開口部は、粘土錘１２が押し出される押出口１５を構成している。本実施形態では、この押出口１５を構成する押出部１３の内壁面は、全体として略円形に形成されている。ただし、当該内壁面には押出部１３の内側に突出する突出部１６が形成されている。この突出部１６は、同図が示すように、断面形状が鋭利な三角径の凸条から構成されており、押出部１３の軸方向（同図では上下方向）に沿って延びている。
【００１３】
したがって、押出口１５の形状は、同図が示すように、全体としては略円形であるものの、その一部が押出口１５の内側に鋭利に突出したものとなっている。これにより、押出口１５から押し出される粘土錘１２は、全体として円柱状に形成されるが、その軸方向に沿って略Ｖ字状の溝１７が構成されることになる。この溝１７が形成されることによる作用効果については後述される。
【００１４】
また、本実施形態では、チューブ本体１１の周面に目盛１８が設けられている。この目盛１８は、例えばインクジェット等の既知の手段によって簡単にチューブ本体１１に印刷される。
目盛１８は、上記押出口１５から押し出された粘土錘１２の長さを確認するためのものである。したがって、釣人がチューブ本体１１を指で押圧することによって粘土錘１２が上記押出口１５から押し出されるが、そのとき、釣人は、押し出された粘土錘１２の長さを目盛１８を参照しながら目分量で決定する。目盛１８には、押し出された粘土錘１２の長さに対応する錘の重量が表示されている。したがって、釣人は、粘土錘１２の押出量を決定することによって、所望の重量の錘を得ることができる。なお、この目盛１８は、省略されていてもよいことは勿論である。
【００１５】
このように、本実施形態に係る釣用錘入りチューブ１０では、実釣において釣人が釣用錘入りチューブ１０を携帯することによって、釣人は、チューブ本体１１を指で押圧して必要な長さの粘土錘１２をチューブ本体１１から押し出すだけで、所要時に所望の重量の釣用錘を用意することができる。このとき、釣用錘の重量調整は、釣人が押し出される粘土錘１２の長さのみを調整することによって行われるから、必要な重量の釣用錘が正確に作製される。その結果、従来では、実釣において釣人は、予め他種類の釣用錘を準備する必要があったが、釣人は、そのような煩わしさから開放される。
【００１６】
特に本実施形態では、上記目盛１８が設けられているから、釣人は、より正確に押し出される粘土錘１２の長さを調整することができる。したがって、必要な重量の釣用錘がより正確に作製されるという利点がある。
また、本実施形態では、粘土錘１２が押し出される押出口１５が前述のような形状に形成されていることから、押し出された粘土錘１２には、上記溝１７が形成されている。これにより、釣用錘としての粘土錘１２が簡単且つ確実に釣糸に装着される。具体的には、通常、釣用錘は、釣糸に固定されるものであるが、当該粘土錘１２が釣糸に固定される作業は、釣糸が上記溝１７に挿通され、釣人が当該粘土錘１２を押しつぶすことによって行われる。つまり、釣糸が粘土錘１２の溝１７に配置され、この粘土錘１２がかしめられることによって、当該粘土錘１２が簡単且つ確実に釣糸に固定される。もっとも、この溝１７は、省略されていてもよく、その場合は、押し出された粘土錘１２が円柱形状となるが、その場合には、粘土錘１２は、他の固定方法によって釣糸等に固定される。
【００１７】
＜第２の実施形態＞
次に、本発明の第２の実施形態について説明される。
図２は、本発明の第２の実施形態に係る釣用錘入りチューブ２０の斜視図である。
本実施形態に係る釣用錘入りチューブ２０が上記第１の実施形態に係る釣用錘入りチューブ１０と異なるところは、チューブ本体２１がキャップ２２を備えている点、及びチューブ本体２１の押出口２３が予め封止されており、キャップ２２によって押出口２３が開口されるようになっている点である。なお、その他の構成については、上記釣用錘入りチューブ１０と同様である。
【００１８】
チューブ本体２１の押出部１３の周面には、雄ねじ２４が形成されている。これにより、キャップ２２は、押出部１３に螺合することができ、チューブ本体２１に着脱自在となっている。また、上記押出口２３は、予め薄膜部材２５により封止されている。この薄膜部材２５は、押出部１３と一体的に成形されるようになっている。
【００１９】
キャップ２２は、例えば樹脂により構成され、略円筒状に形成されている。このキャップ２２の下部内周面には、図示されていない雌ねじが形成されている。この雌ねじは、上記押出部１３に形成された雄ねじ２４と螺合する。したがって、キャップ２２の下端部が上記押出部１３に被せられ、キャップ２２が所定方向へ回転されることによって、当該キャップ２２は、押出口２３を囲繞して押出部１３に固定される。一方、キャップ２２が反所定方向へ回転されることによって、当該キャップ２２は、押出部１３から取り外される。
【００２０】
キャップ２２の上端部２６の内径寸法は、上記押出部１３の外径寸法に対応されており、この上端部２６は、押出部１３を取り囲むように嵌め込まれるようになっている。また、この上端部２６の内部には、突起２７（開封部）が形成されている。この突起２７は、全体として三角錐形状に形成されているが、同図が示すように、その外形母線に沿って略Ｖ字状の凹条２８が設けられている。
【００２１】
したがって、このキャップ２２の上端部２６が上記押出部１３に嵌め込まれることによって、上記突起２７が上記押出口２３に設けられた薄膜部材２５を突き破る。これにより、予め封止された押出口２３は、開封される。このとき、突起２７には上記凹条２８が設けられていることから、押出口２３は、上記実施形態において開示された形状と同様の形状に形成され、そのため、この押出口２３から押し出される粘土錘１２は、全体として円柱状に形成されるが、その軸方向に沿って略Ｖ字状の溝が構成されることになる。
なお、本実施形態では、上記突起２７に上記凹条２８が設けられているが、この凹条２８は省略されていてもよいことは勿論である。その場合は、押出口２３から押し出される粘土錘１２は、円柱状に形成される。
【００２２】
本実施形態に係る釣用錘入りチューブ２０では、上記第１の実施形態に係る釣用錘入りチューブ１０と同様の作用効果を奏するうえ、予め粘土錘１２がチューブ本体２１に密封されているから、粘土錘１２は、上記押出口２３が開封されるまでは、長期間にわたって良好に保存される。また、押出口２３の開封は、キャップ２２によって簡単に行われ、開封後は、キャップ２２によって押出口２３が囲繞されるので、粘土錘１２が空気に晒されることなく保存される。したがって、粘土錘１２の品質が劣化することがないという利点がある。
【００２３】
次に、本実施形態の変形例について説明される。
図３は、本実施形態の変形例に係る釣用錘入りチューブ３０の要部拡大斜視図である。
この変形例に係る釣用錘入りチューブ３０が上記釣用錘入りチューブ２０と異なるところは、上記釣用錘入りチューブ２０のキャップ２２には、開封用の突起２７が設けられていたのに対し、本変形例に係るキャップ３１は、突起を備えていない点、及び押出部１３の押出口３２を封止する薄膜部材３３（開封片）は、把手３４を備えており、この把手３４が引っ張られることによって、押出口３２が開封される用になっている点である。なお、その他の構成については、上記釣用錘入りチューブ２０と同様である。
【００２４】
キャップ３１は、上記キャップ２２と同様に略円筒状に形成され、チューブ本体２１の押出部１３に着脱自在に螺合される。
薄膜部材３３は、押出部１３と一体的に成形される。ただし、薄膜部材３３が形成される際に、当該薄膜部材３３には、同図が示すような引裂線３５が形成される。この引裂線３５は、薄膜部材３３が成形される際に当該薄膜部材３３に微細な溝が形成されることによって構成されている。そして、引裂線３５の形状は、上記第１の実施形態で開示された押出口１５の形状と同様の形状に形成されている。
【００２５】
本変形例では、釣人は、上記把手３４を手で摘んで引っ張ることによって、薄膜部材３３を剥離することができる。このとき、薄膜部材３３は、上記引裂線３に沿って引き裂かれ、これにより押出口３２が構成される。そして、この押出口３２の形状は、上記第１の実施形態で開示された押出口１５の形状と同様のものとなる。したがって、押出口３２から押し出される粘土錘１２は、その長手方向に沿って略Ｖ字状の溝が形成されることになる。
本変形例に係る釣用錘入りチューブ３０では、上記釣用錘入りチューブ２０と同様の作用効果を奏するうえ、釣人は、薄膜部材３３を剥離するだけで、きわめて簡単且つ正確に押出口３２を所定の形状に開封することができる。よって、当該押出口３２から押し出される粘土錘１２には正確に上記溝（１７）が形成され、これにより、押し出された粘土錘１２の重量は、正確にその長さに比例することになるから、釣人は、所要の重量の釣用錘を正確に作製することができる。
【００２６】
また、図４は、本実施形態の他の変形例に係る釣用錘入りチューブ４０の斜視図である。
この変形例に係る釣用錘入りチューブ４０が上記釣用錘入りチューブ２０と異なるところは、上記釣用錘入りチューブ２０のチューブ本体２１に設けられていた目盛１８が省略されており、その代わりに定規４１が装備されている点、及び、チューブ本体４２には、定規４１を保持するホルダ４３が設けられている点である。なお、その他の構成については、上記釣用錘入りチューブ２０と同様である。
【００２７】
上記定規４１は、例えば樹脂、金属等により構成され、同図が示すように細長平板状に形成されている。定規４１には、目盛４４が設けられている。この目盛４４は、上記目盛１８と同様のものである。なお、定規４１の形状は細長平板状に限定されるものではなく、要するに上記目盛４４が設けられるものであれば他の形状が採用されてもよい。また、上記ホルダ４３は、定規４１が挿入され得る袋状に形成されており、定規４１は、ホルダ４３に挿入されることによって、チューブ本体４２に保持される。このホルダ４３の形状も特に限定されるものではなく、要するに、定規４１が挿抜され得るものであればよい。
【００２８】
本変形例に係る釣用錘入りチューブ４０では、定規４１により、押出口２３から押し出された粘土錘１２の長さがきわめて正確に測定される。具体的には、釣人が定規４１を手に取り、押し出された粘土錘１２に定規４１を沿わせることによって、粘土錘１２の長さをきわめて正確に調整することができる。その結果、実釣時において釣人の所望の重量の釣用錘を正確に作製することができるという利点がある。
【００２９】
【発明の効果】
以上のように本発明によれば、釣人は、押し出される粘土錘の長さのみを調整するだけで、目分量であっても錘の量を正確に調整することができる。したがって、釣人は、釣りの際中において必要な重量の釣用錘を迅速且つ正確に作製することができる。
【図面の簡単な説明】
【図１】図１は、本発明の第１の実施形態に係る釣用錘入りチューブの斜視図である。
【図２】図２は、本発明の第２の実施形態に係る釣用錘入りチューブの斜視図である。
【図３】図３は、本発明の第２の実施形態の変形例に係る釣用錘入りチューブの要部拡大斜視図である。
【図４】図４は、本発明の第２の実施形態の他の変形例に係る釣用錘入りチューブの斜視図である。
【符号の説明】
１０・・・釣用錘入りチューブ
１１・・・チューブ本体
１２・・・粘土錘
１３・・・押出部
１５・・・押出口
１６・・・突出部
１７・・・溝
１８・・・目盛
２０・・・釣用錘入りチューブ
２１・・・チューブ本体
２２・・・キャップ
２３・・・押出口
２４・・・雄ねじ
２５・・・薄膜部材
２６・・・上端部
２７・・・突起
２８・・・凹条
３０・・・釣用錘入りチューブ
３１・・・キャップ
３２・・・押出口
３３・・・薄膜部材
３４・・・把手
３５・・・引裂線
４０・・・釣用錘入りチューブ
４１・・・定規
４２・・・チューブ本体
４３・・・ホルダ
４４・・・目盛
【図１】
2005000084.tif 000003
【図２】
2005000084.tif 000004
【図３】
2005000084.tif 000005
【図４】
2005000084.tif 000006